(57)【要約】【課題】グリッドシステム天井用の照明器具は，その構成や光源の種類が少ないため，照明器具の移動や，増設等により対応した場合には，基準階としての機能が無くなると共に，天井内のダクト干渉確認等の再調整が必要となり，施工上において作業のやり直しが生じる等の課題がある。【解決手段】  本発明では，グリッドシステム天井のグリッド幅Ｌを長辺とし，グリッド幅の１／３を短辺とする照明器具ユニット１と板体４を天井バーに支持可能に構成し，天井バーによりグリッドに支持する照明器具ユニットの数により室内照度を調節可能とすることにより，上述した課題を解決している。【選択図】    図３
2007184182.tif 000002
【特許請求の範囲】
【請求項１】
グリッドシステム天井のグリッド幅を長辺とし，グリッド幅の１／３を短辺とする照明器具ユニットと板体を天井バーに支持可能に構成し，天井バーによりグリッドに支持する照明器具ユニットの数により室内照度を調節可能としたグリッドシステム天井の照明装置
【請求項２】
照明器具ユニットは，照明能力の異なる複数種類を構成したことを特徴とする請求項１に記載のグリッドシステム天井の照明装置
【発明の詳細な説明】
【技術分野】
【０００１】
本発明は，グリッドシステム天井の照明装置に間するものである。
【背景技術】
【０００２】
近年，オフィスにおけるワークスタイルの変革に伴い，様々な所でフレキシブルな対応が求められている。例えばオフィスの天井においては，パーティションや照明器具等の設備を，顧客の要望に合わせて自由に移動や増設ができたり，メンテナンスが容易である等の利点を有するグリッドシステム天井の採用が増加してきている。
【０００３】
グリッドシステム天井は，下側にＴ字状の支持部を有するＴバーを格子状に組んでワイヤー等によりスラブに吊持し，支持部上に天井仕上材を乗せて構成するものである。このグリッドシステム天井に用いる照明器具は，グリッドの大きさ，例えば600mm×600mmや640mm×640mmに対応して構成しているのであるが，市販されている照明器具の構成や光源の種類等は非常に少ない。
【０００４】
尚，グリッドシステム天井用の照明器具の従来例としては，例えば特許文献１に記載されているようなものがあり，この文献には，Ｔバーのグリッドの２つ分の長方形枠を構成して，その長方形枠に照明器具を支持するものが記載されている。
【特許文献１】特開２００３−７１１９号公報
【発明の開示】
【発明が解決しようとする課題】
【０００５】
１．一般に，グリッドシステム天井を採用する建物は，比較的高層で大規模なオフィスが多い。そのため，グリッドシステム天井に設置する照明器具の統一感が，建物の外観に非常に大切である。一方，オフィスのベース照明の設定照度は，タスクライトとの組み合わせがあるため，以下の例に示すように多様化している。
ベース照明      タスク照明      机上面照度
テナントビル          700 lx          −−            700 lx
本社ビル              500 lx          200 lx          700 lx
本社ビル（省エネ）    300 lx          400 lx          700 lx
【０００６】
このような状況において，グリッドシステム天井用の照明器具は，その構成や光源の種類が非常に少ないため，次に示すような問題が生じている。
【０００７】
ａ．例えばオフィスとしてベース照明の設定照度を700 lxに設計した建物において，ある階の顧客の要望により，ベース照明による照度を500  lxや300 lxに変更する場合には，照明器具自体や，その配置は変更せず，調光制御により対応している。しかしながら，調光制御では，イニシャルコストを低減することはできない。
【０００８】
ｂ．上述した顧客の要望に対して，外観等を考慮せずイニシャルコストの低減を優先して対応した場合，例えば照明器具の移動や，増設等により対応した場合には，基準階としての機能が無くなると共に，天井内のダクト干渉確認等の再調整が必要となり，施工上において作業のやり直しが生じる。
【０００９】
ｃ．基準階におけるベース照明の設定照度700 lx以上の照度，例えば設計室等のために，1,000  lxの照度を顧客から求められた場合には，グリッドを無視して照明器具を増設せざるを得ない。
【００１０】
２．一方，グリッドシステム天井では，照明器具のメンテナンスを天井裏から行うため，天井内のダクトやスプリンクラー配管等の取り合い調整のため，照明器具のメンテナンス用に天井内ふところの確保が必要で，その結果，若干ではあるが，その分，基準階の階高に影響を及ぼしている。
本発明は以上の課題を解決することを目的とするものである。
【課題を解決するための手段】
【００１１】
上述した目的を達成するために，本発明ではグリッドシステム天井のグリッド幅を長辺とし，グリッド幅の１／３を短辺とする照明器具ユニットを天井バーに支持可能に構成し，天井バーによりグリッドに支持する照明器具ユニットの数により室内照度を調節可能としたグリッドシステム天井の照明装置を提案する。
【００１２】
また本発明では，上記構成において，照明器具ユニットは，照明能力の異なる複数種類を構成することを提案する。
【発明の効果】
【００１３】
本発明の照明装置では，グリッドシステム天井の１つのグリッドに対して，１〜３個の照明器具ユニットを設置することができ，その数によりオフィス等のベース照明の設定照度を変更することができる。
【００１４】
照明能力の異なる複数種類の照明器具ユニットを構成すれば，ベース照明の設定照度の変更範囲を更に大きくすることができると共に，変更の自由度を高くすることができる。
【発明を実施するための最良の形態】
【００１５】
次に本発明に係るグリッドシステム天井の照明装置の実施の形態を添付の図１〜図９を参照して説明する。尚，図１は照明器具ユニットを単体で示すもの，図２はグリッド式天井における照明器具ユニットの支持方法を示すもの，また図３〜図５は１つのグリッドに対応する照明装置の配置，図６〜図９はグリッドシステム天井における照明装置の配置を示すものである。
【００１６】
符号１は本発明に係る照明装置を構成する照明器具ユニットを示すもので，照明器具ユニット１は，図１中に二点鎖線で仮想的に示すグリッドシステム天井のグリッド２を構成するＴバー３によって支持する構成である。図２はＴバー３の具体的構成例と，照明器具ユニット１の支持の仕方を例示するものである。
【００１７】
グリッドシステム天井のグリッド２の大きさは，例えばＬ×Ｌ＝600mm×600mmや640mm×640mmがあり，本発明における照明器具ユニット１は，グリッド幅Ｌを長辺とすると共に，グリッド幅Ｌの１／３を短辺として，上記Ｔバー３に支持可能に構成している。そして本発明では，グリッド幅Ｌを長辺とし，グリッド幅Ｌの１／３を短辺とする板体４を照明器具ユニット１と共に使用する要素として構成している。この板体４は，例えばグリッドシステム天井において用いられている設備プレートのような構成を適用することができる。
【００１８】
以上の構成において，図３，図６では，１つのグリッド２に対して，１枚の板体４を隔てて２個の照明器具ユニット１を配置して，照明器具ユニット１の２個分の照明能力を有する照明装置を構成している。
【００１９】
また図４，図７では，１つのグリッド２に対して，１つの照明器具ユニット１の両側に板体４を配置して，照明器具ユニット１の１個分の照明能力を有する照明装置を構成している。
【００２０】
更に図５，図８では，１つのグリッド２に対して，３つの照明器具ユニット１を配置して，照明器具ユニット１の３個分の照明能力を有する照明装置を構成している。
【００２１】
こうして本発明では，例えば基準階におけるベース照明の設定照度を700 lxとし，この設定照度を図３，図６の配置の照明装置に対応させた場合，単純には，図４，図７の配置に変更することで設定照度を350  lxに変更することができ，図５，図８の配置に変更することで設定照度を1050  lxに変更することができる。
【００２２】
一般にグリッドシステム天井用の照明器具では，調光制御範囲が25〜100％に構成されているため，上述した配置の変更と併用することにより，ベース照明の設定照度を所望の値に調節することができる。
【００２３】
例えば図３，図６の配置の照明装置において，71％の調光制御を行うことにより，500
lxの設定照度を得ることができ，また図４，図７の配置で86％の調光制御を行うことにより，300 lxの設定照度を得ることができ，更に，図５，図８の配置で95％の調光制御を行うことにより，1,000  lxの設定照度を得ることができる。
【００２４】
以上のように本発明では，グリッドシステム天井の一つのグリッド１に対して，１〜３の照明器具ユニット１を設置することができ，従って図６〜図８に示すように，照明装置を設置するグリッド２の位置を変更することなくオフィス等のベース照明の設定照度を容易に変更することができる。
【００２５】
このため設定照度の変更に際して，天井内のダクトやスプリンクラー配管等の取り合い調整を行う必要はない。
【００２６】
一方，照明器具ユニット１の照明能力，例えば消費電力の異なる種類を複数構成することにより，ベース照明の設定照度の変更範囲を更に大きくすることができると共に，変更の自由度を高くすることができる。
【００２７】
例えば，上述した照明器具ユニット１の半分の照明能力を有する照明器具ユニット１’を構成すれば，照明器具ユニット１の上述した図３，図６の配置と同様な，図９に示す配置で300 lxの設定照度に対応させることができる。デザインの統一化を図ることができる。
【産業上の利用可能性】
【００２８】
本発明に係るグリッドシステム天井の照明装置は，以上のとおりであるで，次に示すような利点があり，産業上の利用可能性が大である。
ａ．本発明では，グリッドシステム天井の１つのグリッドに対して，１〜３の照明器具ユニットを設置することができ，その数によりオフィス等のベース照明の設定照度を変更することができるので，照明装置を設置するグリッドの位置を変更したり，増設することなくオフィス等のベース照明の設定照度を容易に変更することができる。
ｂ．このため照明器具の移動や増設等に伴う天井工事が不要になると共に，天井内のダクト干渉確認等の再調整も不要であり，デザインの統一化を図ることができる。
ｃ．設定照度を低くする場合に，設置する照明器具ユニットの数を低減することで対応することができるので，調光制御範囲の広い照明器具を必要とせず，またイニシャルコストを低減することができる。
ｄ．天井下部からのメンテナンスも可能となり，そのための天井内ふところの確保が不要となるので，その分の，基準階の階高への影響をなくすことができる。
【図面の簡単な説明】
【００２９】
【図１】本発明に係る照明器具ユニットの実施の形態を示す斜視図である。
【図２】グリッド式天井における照明器具ユニットの支持方法の一例を示す概念図である。
【図３】１つのグリッドに対応する照明装置の配置例を示す斜視図である。
【図４】１つのグリッドに対応する照明装置の他の配置例を示す斜視図である。
【図５】１つのグリッドに対応する照明装置の更に他の配置例を示す斜視図である。
【図６】グリッドシステム天井における図３の照明装置の配置例を示す天井伏図の一部である。
【図７】グリッドシステム天井における図４の照明装置の配置例を示す天井伏図の一部である。
【図８】グリッドシステム天井における図５の照明装置の配置例を示す天井伏図の一部である。
【図９】グリッドシステム天井において他の照明器具ユニットを用いた照明装置の配置例を示す天井伏図の一部である。
【符号の説明】
【００３０】
１，１’          照明器具ユニット
２                グリッド
３                Ｔバー
４                板体
【図１】
2007184182.tif 000003
【図２】
2007184182.tif 000004
【図３】
2007184182.tif 000005
【図４】
2007184182.tif 000006
【図５】
2007184182.tif 000007
【図６】
2007184182.tif 000008
【図７】
2007184182.tif 000009
【図８】
2007184182.tif 000010
【図９】
2007184182.tif 000011